(57)【要約】【課題】シート排出時にシート上に転写された層が擦れて傷つくのを抑えること。【解決手段】画像形成装置（カラープリンタ１）は、トナー像が形成された面が下向きになるシート（用紙Ｓ）を積載する第１シート積載トレイ２２と、シートをシート供給部３から第１シート積載トレイへ搬送する第１搬送経路Ｆ１を有する第１シート搬送部９Ａと、トナー像に多層フィルムＦの少なくとも一層を転写するフィルム転写部１４０と、多層フィルムの少なくとも一層が転写された面が上向きになるシートを積載する第２シート積載トレイ１６０と、第１搬送経路から分岐して第２シート積載トレイへシートを搬送する第２搬送経路Ｆ２を有する第２シート搬送部９Ｂと、シートをトナー像形成部４から第１シート積載トレイへ搬送する第１状態と、シートを第１シート積載トレイから第２シート搬送部へ搬送する第２状態に切り替える切替部（スイッチバックローラ２３）を備える。【選択図】図１
2019045653.tif 000002
【特許請求の範囲】
【請求項１】
シートを供給するシート供給部と、
前記シート供給部によって供給された前記シートにトナー像を形成するトナー像形成部と、
前記トナー像形成部により前記トナー像が形成された前記シートを、前記トナー像が形成された面が下向きになるように積載する第１シート積載トレイと、
前記シートを前記シート供給部から前記トナー像形成部を経由して前記第１シート積載トレイへ搬送する第１搬送経路を有する第１シート搬送部と、
前記シートの前記トナー像が形成された面に複数の層からなる多層フィルムを重ね、前記トナー像の上に前記多層フィルムの少なくとも一層を転写するフィルム転写部と、
前記フィルム転写部により前記多層フィルムの少なくとも一層が転写された前記シートを、前記多層フィルムの少なくとも一層が転写された面が上向きになるように積載する第２シート積載トレイと、
前記第１搬送経路の前記トナー像形成部と前記第１シート積載トレイの間の分岐部から分岐して前記第２シート積載トレイへ前記シートを搬送する第２搬送経路を有する第２シート搬送部と、
前記シートを前記トナー像形成部から前記第１シート積載トレイへ向かう方向へ搬送する第１状態と、前記シートを前記第１シート積載トレイから前記第２シート搬送部へ向かう方向に搬送する第２状態とに切り替え可能な切替部と、を備えることを特徴とする画像形成装置。
【請求項２】
前記フィルム転写部は、前記第２搬送経路上に位置することを特徴とする請求項１に記載の画像形成装置。
【請求項３】
前記フィルム転写部は、前記切替部よりも下方に位置することを特徴とする請求項１または請求項２に記載の画像形成装置。
【請求項４】
前記切替部は、前記第１シート積載トレイへ向けて前記シートを搬送する方向に回転する順回転と、前記順回転と反対の方向に回転する逆回転であって、前記第２搬送経路へ向けて前記シートを搬送する方向に回転する逆回転とが可能なスイッチバックローラであることを特徴とする請求項１から請求項３のいずれか１項に記載の画像形成装置。
【請求項５】
前記第１シート積載トレイと前記第２シート積載トレイは、共通であることを特徴とする請求項１から請求項４のいずれか１項に記載の画像形成装置。
【請求項６】
本体筐体と、
前記フィルム転写部の少なくとも一部を支持し、前記本体筐体に対して引き出し可能な支持フレームと、を備え、
前記シート供給部は、シートを収容する供給トレイであって、前記本体筐体に対して引き出し可能な供給トレイを含み、
前記供給トレイと前記支持フレームの引き出し方向が同じ方向であることを特徴とする請求項１から請求項５のいずれか１項に記載の画像形成装置。
【請求項７】
前記本体筐体は、前記トナー像形成部を収容する第１筐体と、前記フィルム転写部を収容する第２筐体と、を備え、
前記第２筐体は、前記第１筐体の下方から前記第１筐体に対して着脱可能であることを特徴とする請求項６に記載の画像形成装置。
【請求項８】
前記第２筐体の底面積は、前記第１筐体の底面積以下であることを特徴とする請求項７に記載の画像形成装置。
【請求項９】
前記フィルム転写部は、前記多層フィルムと、前記多層フィルムを加熱するフィルム加熱ローラと、前記フィルム加熱ローラとの間で前記多層フィルムを挟むフィルム加圧ローラと、を備えていることを特徴とする請求項６から請求項８のいずれか１項に記載の画像形成装置。
【請求項１０】
前記フィルム加熱ローラは、前記本体筐体に設けられ、
前記多層フィルムおよび前記フィルム加圧ローラは、前記支持フレームに支持されていることを特徴とする請求項９に記載の画像形成装置。
【請求項１１】
前記フィルム加熱ローラを回転可能に支持する支持部材を備え、
前記支持部材は、前記フィルム加熱ローラに対して前記フィルム加圧ローラを位置決めする位置決め部を有することを特徴とする請求項１０に記載の画像形成装置。
【請求項１２】
前記フィルム転写部は、前記供給トレイよりも下方に位置することを特徴とする請求項６から請求項１１のいずれか１項に記載の画像形成装置。
【請求項１３】
前記支持フレームは、前記本体筐体に対して下方に移動した後で、水平方向に引き出し可能となっていることを特徴とする請求項６から請求項１２のいずれか１項に記載の画像形成装置。
【請求項１４】
前記本体筐体は、下面と、下面から下方に突出する複数の脚部とを有し、
前記支持フレームが前記本体筐体に対して下方に移動した状態において、前記支持フレームの下面が、前記脚部の上端よりも下方に位置することを特徴とする請求項１３に記載の画像形成装置。
【請求項１５】
前記フィルム加圧ローラは、前記本体筐体に設けられ、
前記多層フィルムおよび前記フィルム加熱ローラは、前記支持フレームに支持されていることを特徴とする請求項９に記載の画像形成装置。
【請求項１６】
前記フィルム転写部は、前記多層フィルムを備えたフィルムカートリッジを備え、
前記フィルムカートリッジは、前記支持フレームを引き出す際に、前記フィルム加熱ローラから離れる方向に回動することを特徴とする請求項１５に記載の画像形成装置。
【請求項１７】
前記フィルムカートリッジを支持するとともに、前記支持フレームに回動可能に支持される支持板と、
前記本体筐体に設けられ、前記支持板を支持する支持壁と、を備え、
前記支持フレームを引き出す際に、前記支持板が前記支持壁から外れることで、前記フィルムカートリッジが前記支持板とともに回動することを特徴とする請求項１６に記載の画像形成装置。
【請求項１８】
前記支持板は、中心軸を中心として回動可能であり、
前記支持フレームは、引き出し方向における上流端と、前記引き出し方向において前記上流端と反対側の下流端とを有し、
前記支持板の中心軸と前記支持フレームの上流端との距離は、前記支持板の中心軸と前記支持フレームの下流端との距離よりも小さいことを特徴とする請求項１７に記載の画像形成装置。
【請求項１９】
前記フィルムカートリッジは、前記多層フィルムが巻かれる巻出軸と、前記巻出軸に巻かれている多層フィルムを巻き取る巻取軸と、を備え、
前記支持板は、前記巻出軸および前記巻取軸をともにガイドするガイド部を有することを特徴とする請求項１７または請求項１８に記載の画像形成装置。
【請求項２０】
前記支持板には、前記巻出軸または前記巻取軸が前記ガイド部から外れる方向に移動することを規制するロック部材が設けられていることを特徴とする請求項１９に記載の画像形成装置。
【請求項２１】
前記フィルムカートリッジは、中心軸を中心として回動可能であり、
前記フィルムカートリッジは、引き出し方向における上流端と、前記引き出し方向において前記上流端と反対側の下流端とを有し、
前記フィルムカートリッジの中心軸と前記フィルムカートリッジの下流端との距離は、前記フィルムカートリッジの中心軸と前記フィルムカートリッジの上流端との距離よりも小さいことを特徴とする請求項１６に記載の画像形成装置。
【請求項２２】
前記フィルムカートリッジは、前記フィルムカートリッジの中心軸と前記フィルムカートリッジの上流端との間に位置する上流部分を有し、
前記フィルムカートリッジの前記上流部分を支持するスライドガイドをさらに備え、
前記本体筐体は、前記引き出し方向に前記支持フレームとともに移動する前記スライドガイドに係合することで、前記スライドガイドの移動を規制する規制部を有し、
前記規制部によって前記スライドガイドの移動が規制された状態で、前記支持フレームが引き出されることで、前記フィルムカートリッジの前記上流部分が前記スライドガイドでガイドされながら、前記フィルムカートリッジが回動することを特徴とする請求項２１に記載の画像形成装置。
【請求項２３】
前記支持フレームは、前記フィルムカートリッジの前記中心軸を支持する切欠部を有し、
前記切欠部は、上方に向けて開口することを特徴とする請求項２２に記載の画像形成装置。
【請求項２４】
前記本体筐体は、前記フィルムカートリッジの前記上流部分を位置決めする位置決め部を有することを特徴とする請求項２２または請求項２３に記載の画像形成装置。
【請求項２５】
前記スライドガイドは、水平方向に対して傾斜した傾斜面と、傾斜面から凹む支持凹部とを、有し、
前記支持フレームが前記本体筐体に装着された状態において、前記フィルムカートリッジの前記上流部分が前記支持凹部で支持されていることを特徴とする請求項２２から請求項２４のいずれか１項に記載の画像形成装置。
【請求項２６】
前記フィルム転写部は、前記多層フィルムを備えたフィルムカートリッジを備え、
前記本体筐体は、前記フィルム加熱ローラおよび前記フィルム加圧ローラのうち一方のローラを、他方のローラとの間で前記多層フィルムを挟む第１位置と、前記一方のローラと前記他方のローラとの間を前記フィルムカートリッジが通過可能なように前記他方のローラから離間させる第２位置とに移動させる接離機構を備えることを特徴とする請求項９に記載の画像形成装置。
【請求項２７】
前記本体筐体は、前記フィルム加熱ローラおよび前記フィルム加圧ローラを備えることを特徴とする請求項２６に記載の画像形成装置。
【請求項２８】
前記接離機構は、前記一方のローラを支持するとともに、前記本体筐体に回動可能に支持される回動フレームを備えることを特徴とする請求項２６または請求項２７に記載の画像形成装置。
【請求項２９】
前記接離機構は、前記支持フレームが前記引き出し方向に移動する動作に連動して、前記一方のローラを前記他方のローラから離間させることを特徴とする請求項２６または請求項２７に記載の画像形成装置。
【請求項３０】
前記支持フレームに回動可能に設けられ、前記フィルム加熱ローラおよび前記フィルム加圧ローラのうち一方のローラを支持する回動フレームを備え、
前記支持フレームが前記本体筐体から引き出された状態で、前記回動フレームが回動された場合に、前記フィルム加熱ローラおよび前記フィルム加圧ローラのうち前記一方のローラが他方のローラから離間することを特徴とする請求項２６に記載の画像形成装置。
【発明の詳細な説明】
【技術分野】
【０００１】
本発明は、トナー像の上に箔を転写するフィルム転写部を備えた画像形成装置に関する。
【背景技術】
【０００２】
従来より、トナー像の上に箔を重ね、加熱することにより、トナー像に箔を転写するフィルム転写部が知られている（特許文献１参照）。
【先行技術文献】
【特許文献】
【０００３】
【特許文献１】特開昭６１−２５２１９０号公報
【発明の概要】
【発明が解決しようとする課題】
【０００４】
ところで、従来のようなフィルム転写部を画像形成装置に設けた場合において、箔転写されたシートが排出トレイに排出される際に、シートの箔転写された面が排出トレイに向けた状態で排出されてしまうと、シート上の箔と排出トレイとが擦れて、シート上の箔に傷がつくおそれがある。
【０００５】
そこで、本発明は、シートの排出時において、シートに形成された箔などの層が擦れて傷つくのを抑えることを目的とする。
【課題を解決するための手段】
【０００６】
前記課題を解決するため、本発明に係る画像形成装置は、シートを供給するシート供給部と、前記シート供給部によって供給された前記シートにトナー像を形成するトナー像形成部と、前記トナー像形成部により前記トナー像が形成された前記シートを、前記トナー像が形成された面が下向きになるように積載する第１シート積載トレイと、前記シートを前記シート供給部から前記トナー像形成部を経由して前記第１シート積載トレイへ搬送する第１搬送経路を有する第１シート搬送部と、前記シートの前記トナー像が形成された面に複数の層からなる多層フィルムを重ね、前記トナー像の上に前記多層フィルムの少なくとも一層を転写するフィルム転写部と、前記フィルム転写部により前記多層フィルムの少なくとも一層が転写された前記シートを、前記多層フィルムの少なくとも一層が転写された面が上向きになるように積載する第２シート積載トレイと、前記第１搬送経路の前記トナー像形成部と前記第１シート積載トレイの間の分岐部から分岐して前記第２シート積載トレイへ前記シートを搬送する第２搬送経路を有する第２シート搬送部と、前記シートを前記トナー像形成部から前記第１シート積載トレイへ向かう方向へ搬送する第１状態と、前記シートを前記第１シート積載トレイから前記第２シート搬送部へ向かう方向に搬送する第２状態とに切り替え可能な切替部と、を備える。
【０００７】
この構成によれば、多層フィルムの少なくとも一層が転写された面が上に向いた状態で、シートが第２シート積載トレイに排出されるので、シートに形成された層が第２シート積載トレイで擦れて傷つくのを抑えることができる。
【発明の効果】
【０００８】
本発明によれば、シートの排出時において、シートに形成された層が擦れて傷つくのを抑えることができる。
【図面の簡単な説明】
【０００９】
【図１】本発明の第１の実施形態に係るカラープリンタの概略構成を示す図である。
【図２】本体筐体から支持フレームを引き出した状態を示す図である。
【図３】接離機構の動作を示す図（ａ），（ｂ）である。
【図４】制御部の動作を示すフローチャートである。
【図５】第２の実施形態に係るカラープリンタ１を示す図である。
【図６】第２の実施形態において、本体筐体から支持フレームを引き出した状態を示す図である。
【図７】第３の実施形態に係るカラープリンタの第２筐体側の構造を示す図（ａ）〜（ｅ）である。
【図８】第４の実施形態に係るカラープリンタの第２筐体側の構造を示す図（ａ）〜（ｃ）である。
【図９】位置決めプレートと巻出軸との関係を示す図（ａ）〜（ｃ）である。
【図１０】第５の実施形態に係るカラープリンタの第２筐体側の構造を示す図（ａ）〜（ｃ）である。
【図１１】第６の実施形態に係るカラープリンタの第２筐体側の構造を示す図（ａ）〜（ｃ）である。
【図１２】第７の実施形態に係るカラープリンタの第２筐体側の構造を示す図（ａ），（ｂ）である。
【図１３】第８の実施形態に係るカラープリンタの第２筐体側の構造を示す図（ａ）〜（ｃ）である。
【図１４】第９の実施形態に係るカラープリンタの第２筐体側の構造を示す図（ａ）〜（ｃ）である。
【図１５】第１０の実施形態に係るカラープリンタを示す図である。
【図１６】第１０の実施形態において、本体筐体から支持フレームを引き出した状態を示す図である。
【図１７】第１１の実施形態に係るカラープリンタを示す図である。
【図１８】第１１の実施形態に係る制御部の動作を示すフローチャートである。
【図１９】第１２の実施形態に係るカラープリンタを示す図である。
【図２０】第１２の実施形態に係る制御部の動作を示すフローチャートである。
【発明を実施するための形態】
【００１０】
［第１の実施形態］
次に、本発明の第１の実施形態について、適宜図面を参照しながら詳細に説明する。
図１に示すように、本発明の画像形成装置の一例としてのカラープリンタ１は、第１筐体２１および第２筐体１１０からなる本体筐体２を備えている。なお、以下の説明において、カラープリンタ１を使用するユーザを基準にした方向で説明する。すなわち、図１における右側を「前」、左側を「後」とし、手前側を「左」、奥側を「右」とする。また、図１における上下方向を「上下」とする。
【００１１】
第１筐体２１は、中空の略直方体状の筐体であり、内部に、シート供給部３と、トナー像形成部４と、搬送部９の一部と、制御部２００とを収容している。第２筐体１１０は、中空の略直方体状の筐体であり、内部に、フィルム転写部１４０と、搬送部９の他部を収容している。
【００１２】
第１筐体２１は、上部に、第１シート積載トレイ２２を有している。第１シート積載トレイ２２は、トナー像形成部４によりトナー像が形成されたシートの一例としての用紙Ｓを、トナー像が形成された面が下向きになるように積載している。
【００１３】
シート供給部３は、第１筐体２１内の下部に設けられている。シート供給部３は、供給トレイ３１と、給紙ローラ等からなる給紙機構３３と、レジストレーションローラ３４とを主に備えている。供給トレイ３１は、用紙Ｓを収容している。供給トレイ３１は、第１筐体２１に対して前方に引き出し可能となっている。シート供給部３は、供給トレイ３１に収容された用紙Ｓを、給紙機構３３によってレジストレーションローラ３４に送り出した後、レジストレーションローラ３４によってトナー像形成部４に供給する。
【００１４】
トナー像形成部４は、シート供給部３によって供給された用紙Ｓにトナー像を形成するように構成されている。トナー像形成部４は、露光装置５と、４つのプロセスユニット６と、転写ユニット７と、定着器８とを主に備えている。
【００１５】
露光装置５は、第１筐体２１内の上部に配置され、図示しないレーザ発光部やポリゴンミラー、レンズ、反射鏡などを備えている。露光装置５は、レーザ発光部から画像データに基づくレーザ光（二点鎖線参照）を出射し、プロセスユニット６の感光ドラム６１の表面を露光する。
【００１６】
４つのプロセスユニット６は、シート供給部３の上方で前後方向に沿って配列されている。各プロセスユニット６は、感光ドラム６１や、図示しない帯電器、現像ローラ６２、トナーを収容するトナー収容部等を備えている。
【００１７】
転写ユニット７は、シート供給部３と４つのプロセスユニット６の間に設けられている。転写ユニット７は、駆動ローラ７１と、従動ローラ７２と、搬送ベルト７３と、４つの転写ローラ７４とを備えている。
【００１８】
駆動ローラ７１及び従動ローラ７２は、前後方向に離間して平行に配置され、その間にエンドレスベルトからなる搬送ベルト７３が張設されている。そして、搬送ベルト７３は、その外側の面が各感光ドラム６１に対向している。また、搬送ベルト７３の内側には、各感光ドラム６１との間で搬送ベルト７３を挟持する転写ローラ７４が、各感光ドラム６１に対向して４つ配置されている。
【００１９】
定着器８は、プロセスユニット６および転写ユニット７の後側に設けられている。定着器８は、加熱ローラ８１と、加熱ローラ８１と対向配置されて加熱ローラ８１を押圧する加圧ローラ８２とを備えている。
【００２０】
トナー像形成部４では、まず、各感光ドラム６１の表面が、帯電器により一様に帯電された後、露光装置５で露光される。これにより、露光された部分の電荷が除去されて、各感光ドラム６１上に画像データに基づく静電潜像が形成される。その後、現像ローラ６２によってトナー収容部内のトナーが感光ドラム６１上の静電潜像に供給されることで、感光ドラム６１上にトナー像が形成される。
【００２１】
次に、搬送ベルト７３上に供給された用紙Ｓが各感光ドラム６１と各転写ローラ７４との間を通過することで、各感光ドラム６１上に形成されたトナー像が用紙Ｓ上に転写される。そして、用紙Ｓが加熱ローラ８１と加圧ローラ８２との間を通過することで、用紙Ｓ上に転写されたトナー像が熱定着される。
【００２２】
搬送部９は、第１搬送経路Ｆ１を有する第１シート搬送部９Ａと、第２搬送経路Ｆ２を有する第２シート搬送部９Ｂと、切替部の一例としてのスイッチバックローラ２３とを備えている。
【００２３】
第１シート搬送部９Ａは、第１搬送経路Ｆ１に沿って用紙Ｓを搬送するための複数のローラを備えている。複数のローラとしては、例えば給紙機構３３を構成するローラ、レジストレーションローラ３４、感光ドラム６１、加圧ローラ８２などの図示しているローラの他にも適宜別のローラを配置してもよい。
【００２４】
第１搬送経路Ｆ１は、用紙Ｓをシート供給部３からトナー像形成部４を経由して第１シート積載トレイ２２へ搬送するための経路である。第１搬送経路Ｆ１は、第１経路９１と、第２経路９２とを備えている。
【００２５】
用紙Ｓは、シート供給部３から送り出されてから複数のローラによって搬送されることによって、第１経路９１を通ってトナー像形成部４に到達する。第１経路９１は、供給トレイ３１の前部の上方から前斜め上方へ延びた後、後斜め上方へ延びている。
【００２６】
用紙Ｓは、トナー像形成部４から送り出されてから複数のローラによって搬送されることによって、第２経路９２を通って第１シート積載トレイ２２に到達する。第２経路９２は、定着器８の後方から上方へ延びた後、第１筐体２１の上部で第１シート積載トレイ２２に向けて前方へ延びている。
【００２７】
第２シート搬送部９Ｂは、第２搬送経路Ｆ２に沿って用紙Ｓを搬送するための複数のローラＲを備えている。第２シート搬送部９Ｂの一部は、第１筐体２１に設けられ、他部は、第２筐体１１０に設けられている。
【００２８】
第２搬送経路Ｆ２は、第１搬送経路Ｆ１のトナー像形成部４と第１シート積載トレイ２２の間の分岐部ＢＦ１から分岐して、後述する第２シート積載トレイ１６０へ用紙Ｓを搬送するための経路である。第２搬送経路Ｆ２は、第３経路９３と、第４経路９４とを備えている。
【００２９】
第３経路９３は、トナー像形成部４から搬出された用紙Ｓをフィルム転写部１４０へ向けてガイドする経路である。第３経路９３は、第２経路９２の分岐部ＢＦ１から後斜め下に延びた後、下方に向けて延び、第２筐体１１０の下面付近で前方に向けて延びた後、フィルム転写部１４０へ向けて上方に延びている。第４経路９４は、フィルム転写部１４０から第２シート積載トレイ１６０に向けて前斜め上に延びている。
【００３０】
スイッチバックローラ２３は、第２経路９２の第２搬送経路Ｆ２との分岐部ＢＦ１よりも第１シート積載トレイ２２側に設けられている。スイッチバックローラ２３は、用紙Ｓの状態を、用紙Ｓをトナー像形成部４から第１シート積載トレイ２２へ向かう方向へ搬送する第１状態と、用紙Ｓを第１シート積載トレイ２２から第２シート積載トレイ１６０へ向かう方向に搬送する第２状態とに切り替え可能とする機能を有している。言い換えると、スイッチバックローラ２３は、トナー像が形成された用紙Ｓの一端を先頭にして用紙Ｓを搬送する状態から用紙Ｓの他端を先頭にして用紙Ｓを搬送する状態に切り替えることが可能となっている。詳しくは、スイッチバックローラ２３は、第１シート積載トレイ２２へ向けて用紙Ｓを搬送する方向に回転する順回転と、順回転と反対の方向に回転する逆回転であって、第２搬送経路Ｆ２へ向けて用紙Ｓを搬送する方向に回転する逆回転とが可能となっている。
【００３１】
第２筐体１１０は、第１筐体２１の下部に固定されている。詳しくは、第２筐体１１０は、第１筐体２１の下方から第１筐体２１に対して着脱可能となっている。第２筐体１１０の底面積は、第１筐体２１の底面積以下となっている。本実施形態では、第２筐体１１０の底面積と第１筐体２１の底面積が同じ面積であることとするが、第２筐体１１０の底面積を第１筐体２１の底面積よりも小さくしてもよい。
【００３２】
第２筐体１１０には、フィルム転写部１４０と、支持フレーム１５０と、第２シート積載トレイ１６０とが設けられている。支持フレーム１５０は、フィルム転写部１４０の一部、詳しくは後述するフィルムカートリッジ１７０およびフィルム加圧ローラ１４２を支持するフレームであり、第２筐体１１０に対して前方に引き出し可能となっている。つまり、支持フレーム１５０の引き出し方向は、供給トレイ３１の引き出し方向と同じ方向となっている。
【００３３】
支持フレーム１５０は、フィルム転写部１４０の一部を左右方向で挟み込んで支持するべく、フィルム転写部１４０の一部の左右方向両側に１つずつ設けられている。左右の支持フレーム１５０は、左右方向に延びる図示せぬ連結部材によって連結されている。左右の支持フレーム１５０は、スライドレールＳＬ（図２参照）を介して第２筐体１１０に移動可能に支持されている。
【００３４】
支持フレーム１５０は、第２筐体１１０に設けられたフック１１１が係合する係合ピン１５１を備えている。係合ピン１５１は、支持フレーム１５０の前側上部に設けられている。フック１１１は、Ｌ字形状に形成され、一端部が第２筐体１１０に回動可能に設けられている。
【００３５】
支持フレーム１５０は、第２筐体１１０に設けられた位置決め凹部１１２に係合するボス１５２を有している。ボス１５２が位置決め凹部１１２に係合することで、支持フレーム１５０が第２筐体１１０に対して位置決めされる。
【００３６】
第２筐体１１０には、支持フレーム１５０を前方に向けて付勢する付勢部材１１３が設けられている。付勢部材１１３は、フック１１１が係合ピン１５１に係合している状態において、支持フレーム１５０を前方に付勢している。これにより、フック１１１を係合ピン１５１から外すと、付勢部材１１３の付勢力によって支持フレーム１５０を少し前方に移動させることができるので、支持フレーム１５０の引き出し操作を容易に行うことが可能となっている。
【００３７】
第２シート積載トレイ１６０は、フィルム転写部１４０により箔が転写された用紙Ｓを、箔が転写された面が上向きになるように積載するトレイである。第２シート積載トレイ１６０は、支持フレーム１５０の前側上部に回動可能に設けられている。詳しくは、第２シート積載トレイ１６０は、箔転写された用紙Ｓを支持する支持位置（実線の位置）と、第２筐体１１０の前面に沿って折り畳まれた収納位置（二点鎖線の位置）との間で回動可能となっている。
【００３８】
フィルム転写部１４０は、用紙Ｓのトナー像が形成された面に箔を重ね、トナー像の上に箔を転写する機能を有している。なお、本実施形態では、フィルム転写部１４０は、金属色の箔をトナー像に転写することとする。フィルム転写部１４０は、スイッチバックローラ２３よりも下方、詳しくはシート供給部３よりも下方に位置している。フィルム転写部１４０は、第２搬送経路Ｆ２上に位置している。フィルム転写部１４０は、フィルムカートリッジ１７０と、フィルム加熱ローラ１４１と、フィルム加圧ローラ１４２とを備えている。
【００３９】
フィルムカートリッジ１７０は、多層フィルムＦと、巻出軸１２０と、巻取軸１３０と、複数の案内軸１７１と、ケース１７２とを備えている。巻出軸１２０には、転写される前の箔の層を有する多層フィルムＦが巻かれている。多層フィルムＦは、高分子材料からなるテープ状の支持体の上に少なくとも剥離層と箔の層が形成されており、巻出軸１２０および巻取軸１３０の延びる方向に２１０ｍｍ以上４００ｍｍ以下の長さを有し、新品の状態では巻出軸１２０に１０ｍ以上３００ｍ以下の長さで巻かれている。巻取軸１３０は、巻出軸１２０の上斜め前方に配置されている。巻取軸１３０は、巻出軸１２０に巻かれている多層フィルムＦを巻き取る。
【００４０】
なお、箔とは、金、銀、銅、アルミニウム等の金属であって薄く延された金属である。また、多層フィルムＦは、主として高分子材料からなり、５〜２５０μｍの厚みを有し、巻出軸１２０および巻取軸１３０の延びる方向に４００ｍｍよりも長くてもよい。すなわち、多層フィルムＦは、テープを含む。また、多層フィルムＦとは、フィルムを構成する高分子材料と異なる材料からなる層を複数有しているフィルムである。
【００４１】
複数の案内軸１７１のうち２つの案内軸１７１は、巻出軸１２０からフィルム加熱ローラ１４１とフィルム加圧ローラ１４２との間に向けて多層フィルムＦを案内する軸である。残りの２つの案内軸１７１は、フィルム加熱ローラ１４１とフィルム加圧ローラ１４２との間から巻取軸１３０に向けて多層フィルムＦを案内する軸である。複数の案内軸１７１は、多層フィルムＦの一部が、フィルム加熱ローラ１４１とフィルム加圧ローラ１４２との共通接線方向に沿って張られるように、多層フィルムＦを支持している。本実施形態では、フィルム加熱ローラ１４１とフィルム加圧ローラ１４２との共通接線方向は、前後方向に対して傾斜している。
【００４２】
ケース１７２は、内部に、多層フィルムＦ、巻出軸１２０、巻取軸１３０および案内軸１７１を収容している。ケース１７２は、支持フレーム１５０に対して着脱可能となっている。
【００４３】
フィルム加熱ローラ１４１とフィルム加圧ローラ１４２は、巻出軸１２０から巻取軸１３０に向かう方向において巻出軸１２０と巻取軸１３０の間の位置に設けられている。フィルム加熱ローラ１４１は、多層フィルムＦを加熱するローラであり、図示しない熱源によって加熱されている。フィルム加熱ローラ１４１は、第２搬送経路Ｆ２上で搬送されている用紙Ｓのトナー像が形成された面に、多層フィルムＦを挟んで対向する位置に配置されている。
【００４４】
フィルム加圧ローラ１４２は、フィルム加熱ローラ１４１の前斜め下に設けられている。フィルム加圧ローラ１４２は、第２搬送経路Ｆ２上で搬送されている用紙Ｓのトナー像が形成されていない面に接触可能な位置に配置されている。フィルム加圧ローラ１４２は、フィルム加熱ローラ１４１との間で、巻出軸１２０と巻取軸１３０との間に巻き掛けられた多層フィルムＦを挟んでいる。フィルム加熱ローラ１４１とフィルム加圧ローラ１４２は、第３経路９３から案内された用紙Ｓのトナー像を箔とともに加熱することで、トナー像に箔を転写する。
【００４５】
フィルム加熱ローラ１４１は、第２筐体１１０に設けられている。フィルムカートリッジ１７０およびフィルム加圧ローラ１４２は、支持フレーム１５０に支持されている。これにより、図２に示すように、支持フレーム１５０を第２筐体１１０の外に引き出すと、フィルム加熱ローラ１４１が第２筐体１１０に残り、フィルムカートリッジ１７０およびフィルム加圧ローラ１４２が支持フレーム１５０とともに外に引き出されるようになっている。
【００４６】
フィルム加熱ローラ１４１は、図３に示す接離機構１８０を介して第２筐体１１０に設けられている。接離機構１８０は、フィルム加熱ローラ１４１を、フィルム加圧ローラ１４２との間で多層フィルムＦを挟む第１位置（図３（ｂ）の位置）と、フィルム加圧ローラ１４２から離間させる第２位置（図３（ａ）の位置）とに移動させる機構である。接離機構１８０は、フィルム加熱ローラ１４１の軸部１４１Ａを回転可能に支持する支持部材１８１と、支持部材１８１を、フィルム加熱ローラ１４１とフィルム加圧ローラ１４２とが対向する方向に移動させる図示せぬ移動機構とを備えている。
【００４７】
支持部材１８１は、フィルム加熱ローラ１４１に対してフィルム加圧ローラ１４２を位置決めする位置決め部１８１Ａを有している。位置決め部１８１Ａは、凹部であり、フィルム加圧ローラ１４２の軸部１４２Ａに係合可能となっている。図３（ａ）に示すように、支持フレーム１５０を第２筐体１１０に装着する場合、または、支持フレーム１５０を第２筐体１１０から引き出す場合には、支持部材１８１は第２位置に位置する。図３（ｂ）に示すように、少なくともフィルム転写部１４０で用紙Ｓ上のトナー像に箔転写を行う場合には、支持部材１８１は第２位置から第１位置に移動して、位置決め部１８１Ａがフィルム加圧ローラ１４２の軸部１４２Ａに係合する。
【００４８】
図１および図２に示すように、支持部材１８１は、支持フレーム１５０の左右方向外側に配置されている。支持フレーム１５０およびフィルムカートリッジ１７０のケース１７２には、フィルム加熱ローラ１４１の軸部１４１Ａとの干渉を抑えるための逃げ溝Ｇ１，Ｇ２が形成されている。フィルム加熱ローラ１４１の軸部１４１Ａは、図１に示すようにフィルム加熱ローラ１４１が第１位置に位置するときに逃げ溝Ｇ１，Ｇ２内に配置され、図２に示すようにフィルム加熱ローラ１４１が第２位置に位置するときに逃げ溝Ｇ１，Ｇ２の外に配置される。
【００４９】
また、図２に示すように、フィルム加熱ローラ１４１が第２位置に位置するときには、フィルム加熱ローラ１４１が、左右方向から見て、支持フレーム１５０およびフィルムカートリッジ１７０とは重ならない位置に配置されている。さらに、フィルム加熱ローラ１４１が第２位置に位置するときにおいて、支持フレーム１５０およびフィルムカートリッジ１７０のうちフィルム加熱ローラ１４１よりも引き出し方向上流側の部分１５０Ｕ，１７０Ｕは、フィルム加熱ローラ１４１よりも上下方向でずれた位置、詳しくは下方に配置されている。これにより、支持フレーム１５０を前後に動かす際に、支持フレーム１５０およびフィルムカートリッジ１７０がフィルム加熱ローラ１４１に干渉するのを抑えることが可能となっている。
【００５０】
制御部２００は、ＣＰＵ、ＲＡＭ、ＲＯＭおよび入出力回路を備えており、外部のコンピュータから出力されてくる印刷データと、ＲＯＭ等に記憶されたプログラムやデータに基づいて各種演算処理を行うことによって、制御を実行する。制御部２００は、スイッチバックローラ２３によって用紙Ｓの搬送方向を切り替えるスイッチバック処理と、フィルム転写部１４０によってトナー像の上に箔を転写する箔転写処理とを実行可能となっている。そして、制御部２００は、用紙Ｓを第２シート積載トレイ１６０に排出する場合には、スイッチバック処理と箔転写処理を行うことで、用紙Ｓの箔が転写された面を第２シート積載トレイ１６０とは反対側に向けた状態、つまり上に向けた状態で、用紙Ｓを第２シート積載トレイ１６０に排出する。
【００５１】
次に、制御部２００の動作について図４を参照して詳細に説明する。
図４に示すように、制御部２００は、まず、印刷データを受信したか否かを判断する（Ｓ１）。ステップＳ１において印刷データを受信していないと判断した場合には（Ｎｏ）、制御部２００は、本制御を終了する。
【００５２】
ステップＳ１において印刷データを受信したと判断した場合には（Ｙｅｓ）、制御部２００は、金属色の有無、詳しくは印刷データがトナー像を金属色にするためのデータであるか否かを判断する（Ｓ２）。ステップＳ２において金属色ありと判断した場合には（Ｙｅｓ）、制御部２００は、トナー像形成部４によって用紙Ｓの第１面に対してトナー像を形成することで、用紙Ｓの第１面への印刷を行う（Ｓ３）。なお、ステップＳ３においては、制御部２００は、スイッチバックローラ２３を順回転させている。
【００５３】
ステップＳ３の後、詳しくは順回転するスイッチバックローラ２３によって用紙Ｓを第１シート積載トレイ２２に向けて搬送しているときに、制御部２００は、スイッチバックローラ２３の回転方向を順回転から逆回転に切り替えることで、用紙Ｓをスイッチバックさせる（Ｓ４）。ステップＳ４の後、制御部２００は、フィルム転写部１４０によって用紙Ｓの第１面に形成されたトナー像に箔転写を行う（Ｓ５）。
【００５４】
ステップＳ５の後、制御部２００は、用紙Ｓを第２シート積載トレイ１６０に排紙する（Ｓ６）。ステップＳ６の後、制御部２００は、印刷データで指定されているすべての枚数分の印刷が終了したか否かを判断する（Ｓ７）。
【００５５】
ステップＳ７において印刷が終了していないと判断した場合には（Ｎｏ）、制御部２００は、ステップＳ２の処理に戻る。ステップＳ２において金属色なしと判断した場合には（Ｎｏ）、制御部２００は、ステップＳ３と同様の処理、つまり用紙Ｓの第１面への印刷を行う（Ｓ８）。
【００５６】
ステップＳ８の後、制御部２００は、用紙Ｓを第１シート積載トレイ２２に排紙する（Ｓ９）。ステップＳ９の後、制御部２００は、ステップＳ７の処理に移行する。ステップＳ７において印刷が終了したと判断した場合には（Ｙｅｓ）、制御部２００は、本制御を終了する。
【００５７】
次に、本実施形態に係るカラープリンタ１の作用効果を説明する。
図１に示すように、用紙Ｓのトナー像に金属色を施さない場合、つまり通常の印刷を行う場合には、トナー像が形成される用紙Ｓの第１面は、トナー像形成部４の通過中において、上を向いている。その後、用紙Ｓが第２経路９２によって上下反転されることで、第１面が下向きとなった状態で用紙Ｓが第１シート積載トレイ２２に排紙される。
【００５８】
用紙Ｓのトナー像に金属色を施す場合には、第１面が下向きとなった状態で用紙Ｓが第１シート積載トレイ２２に向けて搬送されている最中にスイッチバックローラ２３を逆回転させることで、用紙Ｓが第２搬送経路Ｆ２に搬送される。第２搬送経路Ｆ２のうち第１筐体２１から第２筐体１１０にかけて上下方向に延びる部分を用紙Ｓが通過している際には、第１面が前方を向いた状態で用紙Ｓが下方に搬送される。
【００５９】
その後、第２搬送経路Ｆ２の下側部分で用紙Ｓが前方にあるフィルム転写部１４０に向けて搬送されると、第１面が上を向くことになる。フィルム転写部１４０では、上を向いた第１面に形成されたトナー像に多層フィルムＦの箔が転写される。その後、用紙Ｓは、第１面を上に向けた状態で、第２シート積載トレイ１６０に排紙される。これにより、用紙Ｓの第１面に形成された箔が第２シート積載トレイ１６０で擦れて傷つくのを抑えることができる。
【００６０】
以上、本実施形態によれば、前述した効果に加え、以下のような効果を得ることができる。
第２筐体１１０に対して引き出し可能な支持フレーム１５０にフィルムカートリッジ１７０を設けることで、支持フレーム１５０を引き出せば、フィルムカートリッジ１７０を外部に引き出すことができるので、フィルムカートリッジ１７０の交換を容易に行うことができる。ここで、例えば第２筐体に対してフィルムカートリッジを直接着脱可能にする構造も考えられるが、この場合、フィルムカートリッジの着脱作業時において、フィルムカートリッジが第２筐体内の他の部材（例えばローラＲなど）に干渉して、作業が煩雑になるおそれがある。本実施形態では、支持フレーム１５０を引き出すことで、フィルムカートリッジ１７０とともに他の部材も移動させることができるので、フィルムカートリッジ１７０の交換を容易に行うことができる。
【００６１】
供給トレイ３１と支持フレーム１５０の引き出し方向を同じ方向としたので、供給トレイ３１に用紙Ｓをセットする作業と、フィルムカートリッジ１７０の交換作業を、カラープリンタ１の同じ側、つまり前側から行うことができるので、カラープリンタ１の操作性を向上させることができる。
【００６２】
第２筐体１１０が第１筐体２１の下方から第１筐体２１に対して着脱可能であるため、例えば第２筐体が第１筐体の後方から着脱可能となる形態と比べ、カラープリンタ１の設置面積を小さくすることができる。ここで、第２筐体が第１筐体の後方から着脱可能となる形態では、カラープリンタ全体が前後方向に大型化して、カラープリンタの設置面積が前後方向に大きくなる。これに対し、本実施形態では、第１筐体の下方に第２筐体が配置されるので、カラープリンタ１は上下方向に大型化するが、前後方向には大型化しないため、カラープリンタ１の設置面積が大きくなるのを抑えることができる。
【００６３】
第２筐体１１０の底面積が、第１筐体２１の底面積以下であるため、カラープリンタ１の設置面積が大きくなるのを抑えることができる。
【００６４】
フィルム加熱ローラ１４１をフィルム加圧ローラ１４２に近接または離間させる接離機構１８０を設けたので、支持フレーム１５０を引き出す際には、フィルム加熱ローラ１４１を支持フレーム１５０等と干渉しない位置に移動させることができ、支持フレーム１５０とフィルム加熱ローラ１４１との干渉を良好に抑えることができる。
【００６５】
［第２の実施形態］
次に、本発明の第２の実施形態について、適宜図面を参照しながら詳細に説明する。なお、本実施形態は、前記した第１の実施形態の構造を一部変更したものであるため、第１の実施形態と略同様の構成要素については、同一符号を付したり、図示を省略したりして、その説明を省略することとする。
【００６６】
図５および図６に示すように、第２の実施形態においては、支持フレーム１５０が、本体筐体２に対して下方に移動した後で、水平方向、詳しくは前方に引き出し可能となっている。具体的には、支持フレーム１５０は、第２筐体１１０に設けられた図示せぬガイドレールに沿って移動することで、上述したように動くことが可能となっている。
【００６７】
また、本体筐体２は、下面２Ａと、下面２Ａから下方に突出する複数の脚部２Ｂとを有している。詳しくは、第２筐体１１０の下面が、本体筐体２の下面２Ａを構成している。脚部２Ｂは、本体筐体２の下面２Ａ、つまり第２筐体１１０の下面から下方に突出するように取り付けられている。
【００６８】
支持フレーム１５０が本体筐体２に対して下方に移動した状態において、支持フレーム１５０の下面１５０Ａは、脚部２Ｂの上端Ｂ１よりも下方に位置している。これにより、脚部２Ｂによって形成された空間を利用して、支持フレーム１５０を容易に引き出すことが可能となっている。
【００６９】
また、第２筐体１１０は、上端部を中心に回動可能なフロントカバー１９０を備えている。フロントカバー１９０は、支持フレーム１５０を前方に引き出すための開口１１０Ａ（図６参照）を開閉可能となっている。また、フロントカバー１９０には、第２シート積載トレイ１６０が回動可能に設けられている。
【００７０】
フィルムカートリッジ１７０は、フィルム加熱ローラ１４１とフィルム加圧ローラ１４２の間の多層フィルムＦが前後方向に沿うように配置されている。言い換えると、フィルムカートリッジ１７０は、巻出軸１２０と巻取軸１３０が上下方向において略同じ位置となるように配置されている。
【００７１】
支持フレーム１５０は、フィルム加圧ローラ１４２およびフィルムカートリッジ１７０を支持する他、フィルム加圧ローラ１４２付近のローラＲも支持している。
【００７２】
この形態において、フィルムカートリッジ１７０を第２筐体１１０から取り出す場合には、図２に示すように、まず、フロントカバー１９０を開ける。その後、支持フレーム１５０を下方に移動させて、前方に引き出す。その後、支持フレーム１５０からフィルムカートリッジ１７０を取り外す。なお、フィルムカートリッジ１７０を第２筐体１１０内に装着する場合には、前述した動作とは逆の動作を行えばよい。
【００７３】
［第３の実施形態］
次に、本発明の第３の実施形態について、適宜図面を参照しながら詳細に説明する。なお、本実施形態は、前記した第２の実施形態の構造を一部変更したものであるため、第２の実施形態と略同様の構成要素については、同一符号を付したり、図示を省略したりして、その説明を省略することとする。また、以下の各実施形態の説明においては、例えば前述した逃げ溝Ｇ１，Ｇ２のような、２つの部材の干渉を抑えるための溝や孔などは、省略することとする。
【００７４】
図７（ａ）に示すように、第３の実施形態では、フィルム加圧ローラ１４２は、第２筐体１１０に設けられている。詳しくは、フィルム加圧ローラ１４２は、接離機構１８０を介して第２筐体１１０に設けられている。フィルム加圧ローラ１４２は、接離機構１８０によって、フィルム加熱ローラ１４１との間で多層フィルムＦを挟む第１位置（実線参照）と、フィルム加熱ローラ１４１から離間する第２位置（二点鎖線参照）との間で移動可能となっている。
【００７５】
フィルムカートリッジ１７０およびフィルム加熱ローラ１４１は、支持フレーム１５０に支持されている。詳しくは、図７（ｄ）に示すように、フィルムカートリッジ１７０は、支持フレーム１５０に回動可能に支持される支持板３００に支持されている。つまり、フィルムカートリッジ１７０は、支持板３００を介して支持フレーム１５０に間接的に支持されている。一方、フィルム加熱ローラ１４１は、支持フレーム１５０に直接支持されている。フィルム加熱ローラ１４１は、多層フィルムＦを挟んでフィルム加圧ローラ１４２の上側に配置されている。
【００７６】
支持板３００は、中心軸３１０を中心として回動可能となっている。支持フレーム１５０は、引き出し方向における上流端Ｅ１と、引き出し方向において上流端Ｅ１と反対側の下流端Ｅ２とを有している。支持板３００の中心軸３１０と支持フレーム１５０の上流端Ｅ１との距離は、支持板３００の中心軸３１０と支持フレーム１５０の下流端Ｅ２との距離よりも小さい。
【００７７】
支持板３００は、巻出軸１２０および巻取軸１３０をともにガイドする溝状のガイド部３２０を有している。図７（ｂ）に示すように、ガイド部３２０には、ロック部材３２１が設けられている。ロック部材３２１は、溝状のガイド部３２０の内面から突出して巻出軸１２０に係合可能となっている。ロック部材３２１は、巻出軸１２０の引き出し方向下流側に配置され、巻出軸１２０がガイド部３２０から外れる方向に移動することを規制している。なお、図７（ａ），（ｃ）〜（ｅ）においては、ロック部材３２１の図示を省略している。
【００７８】
図７（ａ）に示すように、第２筐体１１０には、支持板３００を下から支持する支持壁１１４が設けられている。また、支持フレーム１５０には、巻取軸１３０を位置決めするための位置決め部材３３０が設けられている。位置決め部材３３０は、巻取軸１３０に係合するＶ字形状の凹部を有している。
【００７９】
この形態において、フィルムカートリッジ１７０を第２筐体１１０から取り出す場合には、図７（ａ）に示すように、まず、フィルム加圧ローラ１４２をフィルム加熱ローラ１４１から離間させる。次に、ユーザは、支持フレーム１５０を第２筐体１１０から前方に引き出す。
【００８０】
図７（ｄ）に示すように、支持フレーム１５０の引き出しによって、支持板３００の下面のうち半分以上の部分が支持壁１１４から外れると、重力によってフィルムカートリッジ１７０が支持板３００とともに回動する。そのため、支持フレーム１５０を引き出す際には、フィルムカートリッジ１７０は、フィルム加熱ローラ１４１から離れる方向に回動する。また、この際、巻取軸１３０が位置決め部材３３０の凹部から外れる。
【００８１】
その後は、フィルムカートリッジ１７０をガイド部３２０に沿って引き出すことで、フィルムカートリッジ１７０を取り出すことができる。すなわち、フィルムカートリッジ１７０をガイド部３２０に沿って引き出すとき、巻出軸１２０および巻取軸１３０は、ガイド部３２０にガイドされて、支持板３００から外れる。なお、フィルムカートリッジ１７０を第２筐体１１０内に装着する場合には、前述した動作とは逆の動作を行えばよい。
【００８２】
以上、この形態によれば、支持フレーム１５０を引き出す際に、フィルムカートリッジ１７０がフィルム加熱ローラ１４１から離れる方向に回動するので、フィルムカートリッジ１７０を支持フレーム１５０から取り外す場合にフィルム加熱ローラ１４１が邪魔になることがなく、フィルムカートリッジ１７０の交換を容易に行うことができる。
【００８３】
［第４の実施形態］
次に、本発明の第４の実施形態について、適宜図面を参照しながら詳細に説明する。なお、本実施形態は、前記した第２の実施形態の構造を一部変更したものであるため、第２の実施形態と略同様の構成要素については、同一符号を付したり、図示を省略したりして、その説明を省略することとする。
【００８４】
図８に示すように、第４の実施形態では、フィルム加圧ローラ１４２は、第２筐体１１０に設けられている。フィルムカートリッジ１７０およびフィルム加熱ローラ１４１は、支持フレーム１５０に設けられている。
【００８５】
フィルムカートリッジ１７０は、中心軸の一例としての巻取軸１３０を中心として、支持フレーム１５０に対して回動可能となっている。フィルムカートリッジ１７０は、引き出し方向における上流端Ｅ１と、引き出し方向において上流端Ｅ１と反対側の下流端Ｅ２とを有している。巻取軸１３０とフィルムカートリッジ１７０の下流端Ｅ２との距離は、巻取軸１３０とフィルムカートリッジ１７０の上流端Ｅ１との距離よりも小さい。
【００８６】
支持フレーム１５０は、巻取軸１３０を回動可能に支持する切欠部１５３を有している。切欠部１５３は、上方に向けて開口している。詳しくは、切欠部１５３は、上斜め前方に向けて開口している。
【００８７】
フィルムカートリッジ１７０は、前後方向において巻取軸１３０とフィルムカートリッジ１７０の上流端Ｅ１との間に位置する上流部分としての巻出軸１２０を有している。支持フレーム１５０は、巻出軸１２０を支持するスライドガイド４００を備えている。スライドガイド４００は、支持フレーム１５０に前後方向に移動可能に支持されている。詳しくは、スライドガイド４００は、支持フレーム１５０に対して、図８（ａ）に示す初期位置と、図８（ｂ）に示す後退位置との間で移動可能となっている。
【００８８】
第２筐体１１０は、スライドガイド４００の移動を規制する規制部１１６を有している。スライドガイド４００には、規制部１１６に後方から係合する係合突起４３０が設けられている。スライドガイド４００は、係合突起４３０が規制部１１６に係合していない状態においては、支持フレーム１５０とともに引き出し方向に移動可能となっている。スライドガイド４００は、係合突起４３０が規制部１１６に係合した状態においては、引き出し方向への移動が規制部１１６で規制されて、その位置に留まるようになっている。
【００８９】
図９（ａ）に示すように、スライドガイド４００は、水平方向に対して傾斜した傾斜面４１０と、傾斜面４１０から凹む支持凹部４２０とを有している。支持凹部４２０は、支持フレーム１５０が第２筐体１１０に装着された状態において、フィルムカートリッジ１７０の巻出軸１２０を支持している。また、第２筐体１１０は、フィルムカートリッジ１７０の巻出軸１２０を位置決めする位置決め部としての位置決めプレート１１５を有している。位置決めプレート１１５には、前後方向に沿って延び、前方に向けて開口する溝１１５Ａが形成されている。
【００９０】
スライドガイド４００は、フィルム加圧ローラ１４２の軸線方向において、フィルム加圧ローラ１４２の一方側と他方側に１つずつ設けられている。言い換えると、フィルム加圧ローラ１４２は、軸線方向において、一対のスライドガイド４００の間にある。また、軸線方向において、フィルム加圧ローラ１４２の長さは、一方のスライドガイド４００から他方のスライドガイド４００までの長さよりも短い。
【００９１】
この形態において、フィルムカートリッジ１７０を第２筐体１１０から取り出すべく、ユーザが支持フレーム１５０を前方に引き出すと、図８（ａ），（ｂ）に示すように、スライドガイド４００が支持フレーム１５０とともに前方に移動する。この際、支持フレーム１５０で支持されているフィルムカートリッジ１７０およびフィルム加熱ローラ１４１は、支持フレーム１５０とともに前方に移動するが、第２筐体１１０に支持されているフィルム加圧ローラ１４２は、その位置に留まっている。詳しくは、軸線方向において、フィルム加圧ローラ１４２の長さが、一方のスライドガイド４００から他方のスライドガイド４００までの長さよりも短いので、フィルム加圧ローラ１４２は、一対のスライドガイド４００に干渉しない。
【００９２】
図８（ｂ）に示すように、スライドガイド４００の係合突起４３０が規制部１１６に係合すると、スライドガイド４００の前方への移動が止められる。その後、支持フレーム１５０をさらに引き出すと、止まったスライドガイド４００に対して支持フレーム１５０が前方に移動する。
【００９３】
これにより、図９（ｂ），（ｃ）に示すように、フィルムカートリッジ１７０の巻出軸１２０がスライドガイド４００の支持凹部４２０から外れてスライドガイド４００の傾斜面４１０上を滑るように案内される。このように規制部１１６によってスライドガイド４００の移動が規制された状態で、支持フレーム１５０が引き出されることで、フィルムカートリッジ１７０の巻出軸１２０がスライドガイド４００でガイドされながら、フィルムカートリッジ１７０が回動する（図８（ｃ）参照）。
【００９４】
これにより、フィルムカートリッジ１７０がフィルム加熱ローラ１４１から離間するので、フィルムカートリッジ１７０の取り外し作業が容易になっている。また、フィルムカートリッジ１７０を、上斜め前方に向けて傾いた切欠部１５３に沿って抜き出せばよいので、取り外し作業を容易に行うことができる。なお、フィルムカートリッジ１７０を第２筐体１１０内に装着する場合には、前述した動作とは逆の動作を行えばよい。
【００９５】
［第５の実施形態］
次に、本発明の第５の実施形態について、適宜図面を参照しながら詳細に説明する。なお、本実施形態は、前記した第２の実施形態の構造を一部変更したものであるため、第２の実施形態と略同様の構成要素については、同一符号を付したり、図示を省略したりして、その説明を省略することとする。
【００９６】
図１０（ａ）に示すように、第５の実施形態では、フィルムカートリッジ１７０は、支持フレーム１５０に支持されている。第２筐体１１０は、下端部を中心に回動可能なフロントカバー１９０を備えている。
【００９７】
第２筐体１１０は、フィルム加熱ローラ１４１およびフィルム加圧ローラ１４２を備えている。詳しくは、フィルム加熱ローラ１４１は、接離機構５００を介して第２筐体１１０に設けられている。
【００９８】
接離機構５００は、フィルム加熱ローラ１４１を、フィルム加圧ローラ１４２との間で多層フィルムＦを挟む第１位置（二点鎖線参照）と、フィルム加圧ローラ１４２から離間させる第２位置（実線参照）とに移動させる機構である。接離機構５００は、フロントカバー１９０を開ける動作に連動してフィルム加熱ローラ１４１を第１位置から第２位置に移動させ、フロントカバー１９０を閉める動作に連動してフィルム加熱ローラ１４１を第２位置から第１位置に移動させるように構成されている。フィルム加熱ローラ１４１は、前記第２位置において、フィルム加熱ローラ１４１とフィルム加圧ローラ１４２との間をフィルムカートリッジ１７０が通過可能なように、フィルム加圧ローラ１４２から離間させられる。
【００９９】
接離機構５００をフロントカバー１９０に連動させる構造は、どのような構造であってもよい。例えば図１０（ｂ）に示す接離機構５００は、フィルム加熱ローラ１４１を支持する支持部材５０１と、支持部材５０１に設けられるラックギヤ部５０２と、フロントカバー１９０に設けられ、フロントカバー１９０とともに回動するカバー側ギヤ部１９１と、ラックギヤ部５０２とカバー側ギヤ部１９１を連結する所定数のギヤ５０３とで構成されている。なお、支持部材５０１は、第２筐体１１０で上下方向に移動可能に支持されている。
【０１００】
また、例えば図１０（ｃ）に示す接離機構５００は、フィルム加熱ローラ１４１を支持する支持部材５０１と、支持部材５０１に連結される第１リンク５１０と、第１リンク５１０を押圧する第２リンク５２０と、第２リンク５２０とフロントカバー１９０を連結する第３リンク５３０とを備えている。第１リンク５１０は、一端部が支持部材５０１に回動可能に連結され、他端部が第２リンク５２０で押圧される部分となっており、一端部と他端部の間の部分が第２筐体１１０に回動可能に連結されている。第２リンク５２０は、一端部が第１リンク５１０の他端部を押圧する部分となり、他端部が第３リンク５３０に回動可能に連結され、一端部と他端部との間の部分が第２筐体１１０に回動可能に連結されている。第３リンク５３０は、一端部が第２リンク５２０に回動可能に連結され、他端部がフロントカバー１９０の回動軸から離れた部位に回動可能に連結され、一端部と他端部との間の部分が第２筐体１１０に回動可能に連結されている。なお、支持部材５０１は、第２筐体１１０で上下方向に移動可能に支持されている。
【０１０１】
この形態において、フィルムカートリッジ１７０を第２筐体１１０から取り出す場合には、図１０（ａ）に示すように、フロントカバー１９０を開けると、接離機構５００によってフィルム加熱ローラ１４１がフィルム加圧ローラ１４２から離間する。その後は、支持フレーム１５０を外に引き出して、支持フレーム１５０からフィルムカートリッジ１７０を取り外す。なお、フィルムカートリッジ１７０を第２筐体１１０内に装着する場合には、前述した動作とは逆の動作を行えばよい。
【０１０２】
［第６の実施形態］
次に、本発明の第６の実施形態について、適宜図面を参照しながら詳細に説明する。なお、本実施形態は、前記した第２の実施形態の構造を一部変更したものであるため、第２の実施形態と略同様の構成要素については、同一符号を付したり、図示を省略したりして、その説明を省略することとする。
【０１０３】
図１１（ａ）〜（ｃ）に示すように、第６の実施形態では、フィルム転写部１４０のすべて、つまりフィルムカートリッジ１７０、フィルム加熱ローラ１４１およびフィルム加圧ローラ１４２が、支持フレーム１５０に支持されている。また、第６の実施形態では、支持フレーム１５０が引き出し方向に移動する動作に連動して、フィルム加熱ローラ１４１をフィルム加圧ローラ１４２から離間させる接離機構６００を備えている。
【０１０４】
接離機構６００は、支持フレーム１５０に形成されるフレーム側ガイド溝６１０と、第２筐体１１０に形成された筐体側ガイド溝６２０とを備えている。フレーム側ガイド溝６１０は、フィルム加熱ローラ１４１の軸部１４１Ａを上下方向に移動可能にガイドしている。
【０１０５】
筐体側ガイド溝６２０は、その前端から後斜め下方に延びるように傾斜した溝である。筐体側ガイド溝６２０は、フィルム加熱ローラ１４１の軸部１４１Ａを、前後方向に対して傾斜した方向に移動可能にガイドしている。
【０１０６】
支持フレーム１５０は、フィルムカートリッジ１７０の巻出軸１２０および巻取軸１３０をともにガイドするカートリッジガイド溝１５４を有している。カートリッジガイド溝１５４は、前後方向に延びて、前方に向けて開口している。
【０１０７】
フィルム加熱ローラ１４１の軸線方向において、巻出軸１２０の長さ、および、巻取軸１３０の長さは、フィルム加熱ローラ１４１の長さよりも短い。フレーム側ガイド溝６１０は、支持フレーム１５０を軸線方向に貫通している。カートリッジガイド溝１５４は、支持フレーム１５０の軸線方向内側の面に形成される底付きの溝である。このため、フィルム加熱ローラ１４１の軸部１４１Ａが、上下に移動して、カートリッジガイド溝１５４の位置に到達したときには、カートリッジガイド溝１５４の底の部分によって軸部１４１Ａの前後方向の移動が規制されるため、軸部１４１Ａが、フレーム側ガイド溝６１０からカートリッジガイド溝１５４へ移動することはない。
【０１０８】
また、巻出軸１２０の径、および、巻取軸１３０の径は、フィルム加熱ローラ１４１の軸部１４１Ａの径よりも大きい。フレーム側ガイド溝６１０の幅は、カートリッジガイド溝１５４の幅よりも小さい。言い換えると、フレーム側ガイド溝６１０の幅は、巻出軸１２０の径、および、巻取軸１３０の径よりも小さい。ここで、幅は、溝の短手方向における長さをいう。これにより、巻出軸１２０が、前後に移動して、フレーム側ガイド溝６１０の位置に到達したときでも、径の大きな巻出軸１２０が幅の小さなフレーム側ガイド溝６１０に入らないので、巻出軸１２０が、カートリッジガイド溝１５４からフレーム側ガイド溝６１０へ移動することはない。
【０１０９】
支持フレーム１５０は、下端部を中心に回動可能なフロントカバー１５５を備えている。フロントカバー１５５は、カートリッジガイド溝１５４の開口やフィルムカートリッジ１７０の着脱用の開口を開閉するためのカバーである。
【０１１０】
この形態において、フィルムカートリッジ１７０を第２筐体１１０から取り出す場合には、図１１（ａ），（ｂ）に示すように、支持フレーム１５０を前方に引き出すと、フィルム加熱ローラ１４１の軸部１４１Ａが、傾斜した筐体側ガイド溝６２０によって上方に押し上げられていくことで、フレーム側ガイド溝６１０に沿って上方に移動する。これにより、支持フレーム１５０の引き出し動作に連動して、フィルム加熱ローラ１４１がフィルム加圧ローラ１４２から離間する。
【０１１１】
その後は、フロントカバー１５５を開けて、支持フレーム１５０からフィルムカートリッジ１７０を取り外す。なお、フィルムカートリッジ１７０を第２筐体１１０内に装着する場合には、前述した動作とは逆の動作を行えばよい。
【０１１２】
［第７の実施形態］
次に、本発明の第７の実施形態について、適宜図面を参照しながら詳細に説明する。なお、本実施形態は、前記した第２の実施形態の構造を一部変更したものであるため、第２の実施形態と略同様の構成要素については、同一符号を付したり、図示を省略したりして、その説明を省略することとする。
【０１１３】
図１２（ａ），（ｂ）に示すように、第７の実施形態では、フィルムカートリッジ１７０が支持フレーム１５０に支持され、フィルム加熱ローラ１４１およびフィルム加圧ローラ１４２が第２筐体１１０に支持されている。フィルム加熱ローラ１４１は、接離機構７００を介して第２筐体１１０に設けられている。
【０１１４】
接離機構７００は、フィルム加熱ローラ１４１を回転可能に支持する支持部材７１０と、支持部材７１０を介してフィルム加熱ローラ１４１を支持する回動フレーム７２０とを備えている。回動フレーム７２０は、前後方向に沿って延び、第２筐体１１０に回動可能に支持されている。詳しくは、回動フレーム７２０の後端部が、第２筐体１１０に回動可能に支持されている。
【０１１５】
回動フレーム７２０の前端部には、ロックレバー７３０が回動可能に設けられている。ロックレバー７３０は、フィルムカートリッジ１７０の前側上部に設けられた係合ピン１５６に係合する。また、第２筐体１１０には、支持フレーム１５０を前方に引き出すための開口を開閉するフロントカバー１９０が設けられている。
【０１１６】
この形態において、フィルムカートリッジ１７０を第２筐体１１０から取り出す場合には、図１２（ｂ）に示すように、フロントカバー１９０を開けた後、ロックレバー７３０を係合ピン１５６から外して、回動フレーム７２０の前端部を上方に持ち上げる。これにより、フィルム加熱ローラ１４１は、前記第２位置において、フィルム加熱ローラ１４１とフィルム加圧ローラ１４２との間をフィルムカートリッジ１７０が通過可能なように、フィルム加圧ローラ１４２から離間させられるので、フィルムカートリッジ１７０をフィルム加熱ローラ１４１に干渉させることなく引き出すことができる。具体的に、フィルム加熱ローラ１４１は、フィルム加圧ローラ１４２から７０ｍｍ以上１１０ｍｍ以下の範囲で離間させられる。支持フレーム１５０を引き出した後は、支持フレーム１５０からフィルムカートリッジ１７０を取り外す。なお、フィルムカートリッジ１７０を第２筐体１１０内に装着する場合には、前述した動作とは逆の動作を行えばよい。
【０１１７】
［第８の実施形態］
次に、本発明の第８の実施形態について、適宜図面を参照しながら詳細に説明する。なお、本実施形態は、前記した第７の実施形態の構造を一部変更したものであるため、第７の実施形態と略同様の構成要素については、同一符号を付したり、図示を省略したりして、その説明を省略することとする。
【０１１８】
図１３（ａ）に示すように、第８の実施形態では、フィルム加熱ローラ１４１、フィルム加圧ローラ１４２およびフィルムカートリッジ１７０が支持フレーム１５０に設けられている。また、第８の実施形態では、第７の実施形態と略同様の接離機構７００も支持フレーム１５０に設けられている。
【０１１９】
詳しくは、接離機構７００の回動フレーム７２０の後端部は、支持フレーム１５０の後側上部に回動可能に支持されている。回動フレーム７２０は、支持部材７１０を介してフィルム加熱ローラ１４１を支持している。これにより、支持フレーム１５０が第２筐体１１０から引き出された状態で、回動フレーム７２０が回動された場合に、フィルム加熱ローラ１４１がフィルム加圧ローラ１４２から離間するようになっている。
【０１２０】
この形態において、フィルムカートリッジ１７０を第２筐体１１０から取り出す場合には、図１３（ｂ）に示すように、まず、支持フレーム１５０を第２筐体１１０から前方に引き出す。その後、回動フレーム７２０の前端部を上方に持ち上げて、フィルム加熱ローラ１４１をフィルム加圧ローラ１４２から離間させる。その後、フィルムカートリッジ１７０を支持フレーム１５０から取り外す。なお、フィルムカートリッジ１７０を第２筐体１１０内に装着する場合には、前述した動作とは逆の動作を行えばよい。
【０１２１】
［第９の実施形態］
次に、本発明の第９の実施形態について、適宜図面を参照しながら詳細に説明する。なお、本実施形態は、前記した第８の実施形態の構造を一部変更したものであるため、第８の実施形態と略同様の構成要素については、同一符号を付したり、図示を省略したりして、その説明を省略することとする。
【０１２２】
図１４（ａ）に示すように、第９の実施形態では、支持フレーム１５０にフィルム加熱ローラ１４１、フィルム加圧ローラ１４２およびフィルムカートリッジ１７０が設けられている。詳しくは、フィルム加熱ローラ１４１およびフィルムカートリッジ１７０は、回動フレーム７２０を介して支持フレーム１５０に間接的に設けられている。フィルム加圧ローラ１４２は、支持フレーム１５０に直接設けられている。
【０１２３】
回動フレーム７２０は、支持フレーム１５０の上に配置され、後側下部が、支持フレーム１５０の後側上部に回動可能に支持されている。回動フレーム７２０は、フィルム加熱ローラ１４１を回転可能に支持するとともに、フィルムカートリッジ１７０を支持している。フィルムカートリッジ１７０は、回動フレーム７２０に対して着脱可能となっている。なお、本実施形態では、接離機構７００は、回動フレーム７２０のみで構成されている。
【０１２４】
この形態において、フィルムカートリッジ１７０を第２筐体１１０から取り出す場合には、図１４（ｂ）に示すように、まず、支持フレーム１５０を回動フレーム７２０とともに前方に引き出す。その後、回動フレーム７２０の前端部を上方に持ち上げて、フィルム加熱ローラ１４１をフィルム加圧ローラ１４２から離間させる。その後、フィルムカートリッジ１７０を回動フレーム７２０から取り外す。詳しくは、フィルムカートリッジ１７０を、フィルム加熱ローラ１４１に接触している多層フィルムＦがフィルム加熱ローラ１４１から離れる方向に移動させて、支持フレーム１５０から取り外す。なお、フィルムカートリッジ１７０を第２筐体１１０内に装着する場合には、前述した動作とは逆の動作を行えばよい。
【０１２５】
［第１０の実施形態］
次に、本発明の第１０の実施形態について、適宜図面を参照しながら詳細に説明する。なお、本実施形態は、前記した第１の実施形態の構造を一部変更したものであるため、第１の実施形態と略同様の構成要素については、同一符号を付したり、図示を省略したりして、その説明を省略することとする。
【０１２６】
図１５に示すように、第１０の実施形態では、第２搬送経路Ｆ２が、分岐部ＢＦ１から下方に向かって延びた後、第２筐体１１０内で前方に向かって延び、その後Ｕ字状に湾曲して上方に向かって延びて第２搬送経路Ｆ２の分岐部ＢＦ１付近に繋がっている。詳しくは、第２搬送経路Ｆ２は、第５経路９５と、Ｕ字状の第６経路９６と、第７経路９７とを有している。
【０１２７】
第５経路９５は、分岐部ＢＦ１から後斜め下に延びた後、下方に向かって延びている。第６経路９６は、第５経路９５の用紙Ｓの搬送方向下流側の端部から前斜め下に向けて延びた後、後斜め上に向かって延びている。
【０１２８】
第７経路９７は、第６経路９６の搬送方向下流側の端部から上方に向かって延びた後、前斜め上に延びて第５経路９５に合流している。第７経路９７は、第５経路９５の後側に配置されている。第７経路９７の搬送方向下流側の端部は、分岐部ＢＦ１またはスイッチバックローラ２３に向けて延びている。
【０１２９】
フィルム加圧ローラ１４２は、第２筐体１１０に設けられている。フィルム加圧ローラ１４２は、Ｕ字状の第６経路９６の内側に配置されている。
【０１３０】
フィルム加熱ローラ１４１は、支持フレーム１５０に回転可能に支持されている。フィルム加熱ローラ１４１は、Ｕ字状の第６経路９６の外側に配置されている。フィルム加熱ローラ１４１は、フィルム加圧ローラ１４２の前斜め上側に配置されている。
【０１３１】
フィルムカートリッジ１７０は、第２筐体１１０に着脱可能に設けられている。フィルムカートリッジ１７０は、フィルム加熱ローラ１４１に接触する多層フィルムＦが前斜め下方に向けて傾斜するように配置されている。第２筐体１１０は、フィルムカートリッジ１７０の巻出軸１２０をガイドする第１ガイド溝Ｇ１１と、フィルムカートリッジ１７０の巻取軸１３０をガイドする第２ガイド溝Ｇ１２とを有している。
【０１３２】
第１ガイド溝Ｇ１１は、支持フレーム１５０が第２筐体１１０に装着された状態において、巻出軸１２０から前方に向けて延びた後、前斜め上に延びている。第１ガイド溝Ｇ１１は、前方に向けて開口している。
【０１３３】
第２ガイド溝Ｇ１２は、支持フレーム１５０が第２筐体１１０に装着された状態において、巻取軸１３０から前方に向けて延びた後、前斜め上に延びている。第２ガイド溝Ｇ１２は、前方に向けて開口している。
【０１３４】
この形態において、用紙Ｓのトナー像に金属色を施さない場合、つまり通常の印刷を行う場合には、第１の実施形態と同じ動作で用紙Ｓが搬送されて、トナー像が形成されている第１面が下向きとなった状態で用紙Ｓが第１シート積載トレイ２２に排紙される。また、用紙Ｓのトナー像に金属色を施す場合には、第１面が下向きとなった状態で用紙Ｓが第１シート積載トレイ２２に向けて搬送されている最中にスイッチバックローラ２３を逆回転させることで、用紙Ｓが第２搬送経路Ｆ２に搬送される。
【０１３５】
用紙Ｓが第２搬送経路Ｆ２の第５経路９５を通過している間、第１面は前方を向いている。用紙Ｓが第６経路９６の前半部分を通過している間、第１面が前斜め上方を向いている。これにより、フィルム転写部１４０において、第１面に形成されたトナー像に箔が転写される。
【０１３６】
その後、用紙Ｓが第６経路９６の後半部分を通過している間、箔転写された第１面が下を向いている。そして、用紙Ｓが第７経路９７を通過することによって、箔転写された第１面は、後方を向いた後、上方を向くことになる。そのため、箔転写された用紙Ｓが第１シート積載トレイ２２に排紙される際には、第１面が上を向くので、第１の実施形態と同様の効果を得ることができる。
【０１３７】
この形態では、箔転写された用紙Ｓが、トナー像のみが形成された用紙Ｓが排紙されるトレイと同じ第１シート積載トレイ２２に排紙されるので、第１の実施形態などと比較して、排紙トレイの数を少なくすることができる。つまり、本実施形態では、第１シート積載トレイ２２が、第１シート積載トレイとして使用されるだけでなく、第２シート積載トレイとしても使用されている。すなわち、本実施形態では、第１シート積載トレイと第２シート積載トレイが共通となっている。
【０１３８】
また、この形態において、フィルムカートリッジ１７０を第２筐体１１０から取り出す場合には、図１６に示すように、まず、支持フレーム１５０を前方に引き出す。これにより、支持フレーム１５０に支持されているフィルム加熱ローラ１４１が前方に移動して、第２筐体１１０に支持されているフィルム加圧ローラ１４２から離間する。その後、フィルムカートリッジ１７０を、各ガイド溝Ｇ１１，Ｇ１２に沿って第２筐体１１０から取り外す。なお、フィルムカートリッジ１７０を第２筐体１１０内に装着する場合には、前述した動作とは逆の動作を行えばよい。
【０１３９】
［第１１の実施形態］
次に、本発明の第１１の実施形態について、適宜図面を参照しながら詳細に説明する。なお、本実施形態は、前記した第１の実施形態の構造を一部変更したものであるため、第１の実施形態と略同様の構成要素については、同一符号を付したり、図示を省略したりして、その説明を省略することとする。
【０１４０】
図１７に示すように、第１１の実施形態では、第２筐体１１０が第１筐体２１の後側に配置され、第１筐体２１に対して後方から着脱可能となっている。第１１の実施形態では、フィルム加熱ローラ１４１、フィルム加圧ローラ１４２およびフィルムカートリッジ１７０が第２筐体１１０に設けられている。フィルム加熱ローラ１４１とフィルム加圧ローラ１４２は、前後方向で並んでいる。フィルム加熱ローラ１４１は、フィルム加圧ローラ１４２の前側に配置されている。
【０１４１】
第１１の実施形態では、第１シート積載トレイ２２が、第１シート積載トレイとして使用されるだけでなく、第２シート積載トレイとしても使用されている。第１１の実施形態に係るカラープリンタ１は、両面印刷を行うための再搬送経路Ｆ３およびフラッパ９６Ａを備えている。
【０１４２】
再搬送経路Ｆ３は、トナー像形成部４から搬出された用紙Ｓを再びトナー像形成部４へ向けてガイドする経路である。再搬送経路Ｆ３は、第２経路９２から分岐してフィルム転写部１４０を通らずに第１経路９１に合流している。
【０１４３】
具体的に、再搬送経路Ｆ３は、用紙Ｓをトナー像形成部４より低い位置まで案内する第１再搬送経路Ｆ３１と、第１再搬送経路Ｆ３１により案内された用紙Ｓを、トナー像形成部４の下側を通って第１経路９１へ案内する第２再搬送経路Ｆ３２とを有している。第１再搬送経路Ｆ３１は、第２経路９２の分岐部ＢＦ１から後斜め下へ延びた後、第２経路９２の後側で、搬送ベルト７３と供給トレイ３１の間の高さの位置まで下方へ延びている。第２再搬送経路Ｆ３２は、第１再搬送経路Ｆ３１の下端から、搬送ベルト７３と供給トレイ３１の間を通って前方へ延び、第１経路９１のレジストレーションローラ３４よりも給紙機構３３側の位置に合流している。
【０１４４】
第２搬送経路Ｆ２は、第１搬送経路Ｆ１のトナー像形成部４と第１シート積載トレイ２２の間の分岐部ＢＦ１から分岐して、第２シート積載トレイとしての第１シート積載トレイ２２へ用紙Ｓを搬送するための経路である。第２搬送経路Ｆ２は、第１再搬送経路Ｆ３１の搬送方向上流側部分を構成する第１部分Ｐ１と、第８経路Ｆ２１と、第９経路Ｆ２２と、第１０経路Ｆ２３と、第２再搬送経路Ｆ３２と、第１搬送経路Ｆ１の一部を構成する第２部分Ｐ２とを有している。
【０１４５】
第８経路Ｆ２１は、第１再搬送経路Ｆ３１から分岐して後斜め下方に向けて延びている。なお、前述した第１部分Ｐ１は、第８経路Ｆ２１と第１再搬送経路Ｆ３１との分岐部ＢＦ２から分岐部ＢＦ１までの部分である。
【０１４６】
第９経路Ｆ２２は、第８経路Ｆ２１の後端から下方へ向けて延びている。第１０経路Ｆ２３は、第９経路Ｆ２２の下端から前方に向けて延びて第２再搬送経路Ｆ３２に合流している。第２部分Ｐ２は、第２再搬送経路Ｆ３２の第１経路９１との合流部分Ｊ１から第２経路９２の搬送方向下流側の端部までの部分である。
【０１４７】
フラッパ９６Ａは、第１再搬送経路Ｆ３１と第８経路Ｆ２１の分岐部ＢＦ２に設けられている。そして、フラッパ９６Ａは、揺動することで、第１再搬送経路Ｆ３１の第１部分Ｐ１を通過中の用紙Ｓの先端を、第１再搬送経路Ｆ３１の第１部分Ｐ１よりも搬送方向下流側の部分へ案内する再搬送位置（実線で示す位置）と、第８経路Ｆ２１へ案内する箔転写位置（破線で示す位置）とに切り替え可能となっている。
【０１４８】
本実施形態では、制御部２００は、図１８に示すフローチャートに従って制御を実行する。ここで、図１８に示すフローチャートは、図４に示すフローチャートを一部変更したものであるため、以下においては、第１の実施形態と略同様の処理についての説明を適宜省略する。
【０１４９】
図１８に示すように、制御部２００は、ステップＳ２において金属色ありと判断すると（Ｙｅｓ）、フラッパ９６Ａを箔転写位置に切り替える（Ｓ２１）。ステップＳ２１の後、制御部２００は、第１の実施形態と略同様のステップＳ３〜Ｓ５の処理を実行する。ステップＳ５の後、制御部２００は、箔転写された用紙Ｓを第１シート積載トレイ２２に排紙する（Ｓ９）。
【０１５０】
制御部２００は、ステップＳ２において金属色なしと判断すると（Ｎｏ）、用紙Ｓの第１面への印刷を実行して（Ｓ８）、裏面印刷が必要であるか否かを印刷データに基づいて判断する（Ｓ２２）。ステップＳ２２において裏面印刷が必要であると判断した場合には（Ｙｅｓ）、制御部２００は、フラッパ９６Ａを再搬送位置に切り替える（Ｓ２３）。
【０１５１】
ステップＳ２３の後、制御部２００は、スイッチバック処理を実行して、用紙Ｓを再搬送経路Ｆ３に沿って搬送する（Ｓ２４）。ステップＳ２４の後、制御部２００は、用紙Ｓの第２面への印刷を実行して（Ｓ２５）、第１シート積載トレイ２２に用紙Ｓを排紙する（Ｓ９）。ステップＳ２２において裏面印刷が必要でないと判断した場合には（Ｎｏ）、制御部２００は、用紙Ｓを第１シート積載トレイ２２に排紙する（Ｓ９）。
【０１５２】
この形態において、用紙Ｓのトナー像に金属色を施さない場合、つまり通常の印刷を行う場合には、第１の実施形態と同じ動作で用紙Ｓが搬送されて、トナー像が形成されている第１面が下向きとなった状態で用紙Ｓが第１シート積載トレイ２２に排紙される。また、用紙Ｓのトナー像に金属色を施す場合には、第１面が下向きとなった状態で用紙Ｓが第１シート積載トレイ２２に向けて搬送されている最中にスイッチバックローラ２３を逆回転させることで、用紙Ｓが第２搬送経路Ｆ２に搬送される。
【０１５３】
用紙Ｓが第２搬送経路Ｆ２の第８経路Ｆ２１を通過している間、第１面は下方を向いている。用紙Ｓが第９経路Ｆ２２を通過している間、第１面が前方を向いている。これにより、フィルム転写部１４０において、第１面に形成されたトナー像に箔が転写される。
【０１５４】
用紙Ｓが第１０経路Ｆ２３および第２再搬送経路Ｆ３２を通過している間、箔転写された第１面が上を向いている。用紙Ｓが第１経路９１を通過している間、箔転写された第１面が下を向いている。そして、用紙Ｓが第２経路９２を通過することによって、箔転写された第１面は、後方を向いた後、上方を向くことになる。そのため、箔転写された用紙Ｓが第１シート積載トレイ２２に排紙される際には、第１面が上を向くので、第１の実施形態と同様の効果を得ることができる。
【０１５５】
［第１２の実施形態］
次に、本発明の第１１の実施形態について、適宜図面を参照しながら詳細に説明する。なお、本実施形態は、前記した第１の実施形態の構成要素と略同様の構成要素を備えるため、第１の実施形態と略同様の構成要素については、同一符号を付したり、図示を省略したりして、その説明を省略することとする。なお、以下の説明において、方向は、図１９に示す方向で説明する。
【０１５６】
図１９に示すように、第１２の実施形態に係るカラープリンタ１Ａは、中間転写方式のカラープリンタである。カラープリンタ１Ａは、第１の実施形態と略同様の構造となる４つのプロセスユニット６、定着器８、フィルム転写部１４０などを備えている。カラープリンタ１Ａは、第１の実施形態には設けられていない４つのＬＥＤユニット８０５と、第１の実施形態とは異なる転写ユニット８７０とを備えている。
【０１５７】
プロセスユニット６は、感光ドラム６１が上向きとなるように配置されている。
【０１５８】
４つのＬＥＤユニット８０５は、４つの感光ドラム６１にそれぞれ対応して設けられている。各ＬＥＤユニット８０５は、対応する感光ドラム６１の下方に対向して配置されている、ＬＥＤユニット８０５は、画像データに基づいて発光部を明滅させることで、感光ドラム６１の表面を露光し、感光ドラム６１上に静電潜像を形成する。
【０１５９】
転写ユニット８７０は、上下方向において、４つの感光ドラム６１と第１シート積載トレイ２２との間に設けられている。転写ユニット８７０は、駆動ローラ８７１と、従動ローラ８７２と、中間転写ベルト８７３と、４つの１次転写ローラ８７４と、２次転写ローラ８７５とを備えている。
【０１６０】
駆動ローラ８７１は、４つの感光ドラム６１よりも後方に配置されている。従動ローラ８７２は、４つの感光ドラム６１よりも前方に配置され、駆動ローラ８７１と前後方向で対向している。中間転写ベルト８７３は、無端状のベルトである。中間転写ベルト８７３は、駆動ローラ８７１および従動ローラ８７２に巻き掛けられ、駆動ローラ８７１と従動ローラ８７２の間で張った状態になっている。
【０１６１】
中間転写ベルト８７３は、供給トレイ３１の上方に配置されている。４つの感光ドラム６１は、中間転写ベルト８７３の下で並んでいる。第１シート積載トレイ２２は、中間転写ベルト８７３の上方に配置されている。
【０１６２】
１次転写ローラ８７４は、中間転写ベルト８７３を介して感光ドラム６１と対向配置されている。２次転写ローラ８７５は、中間転写ベルト８７３を介して駆動ローラ８７１と対向配置されている。具体的に、２次転写ローラ８７５は、駆動ローラ８７１の後方に配置されている。２次転写ローラ８７５は、駆動ローラ８７１との間で、シート供給部３から送られてきた用紙Ｓを下から上へ向けて搬送する。
【０１６３】
このような転写ユニット８７０では、感光ドラム６１上のトナー像が、１次転写ローラ８７４によって引き寄せられて、中間転写ベルト８７３上に転写される。中間転写ベルト８７３上のトナー像は、２次転写ローラ８７５によって引き寄せられて、用紙Ｓに転写される。
【０１６４】
フィルム転写部１４０は、第１筐体２１に設けられ、第１搬送経路Ｆ１上に位置している。フィルム加熱ローラ１４１およびフィルム加圧ローラ１４２は、前後方向において並んでいる。フィルム加熱ローラ１４１は、フィルム加圧ローラ１４２の前側に配置されている。フィルム加熱ローラ１４１およびフィルム加圧ローラ１４２は、第１搬送経路Ｆ１において、定着器８よりも搬送方向下流側で、かつ、スイッチバックローラ２３よりも搬送方向上流側に配置されている。
【０１６５】
第２シート積載トレイ１６０は、第１筐体２１の前壁の下側に設けられている。詳しくは、第２シート積載トレイ１６０は、供給トレイ３１よりも下方に配置されている。
【０１６６】
第１搬送経路Ｆ１は、供給トレイ３１から後方に延びた後、上方に延び、その後、スイッチバックローラ２３に向けて前方に延びている。第２搬送経路Ｆ２は、第１搬送経路Ｆ１の上部から分岐して後方に向けて延びた後、第１搬送経路Ｆ１の後側を通って下方に延び、その後、供給トレイ３１の下側を通って第２シート積載トレイ１６０に向かうように前方に延びている。
【０１６７】
本実施形態では、制御部２００は、図２０に示すフローチャートに従って制御を実行する。ここで、図２０に示すフローチャートは、図４に示すフローチャートを一部変更したものであるため、以下においては、第１の実施形態と略同様の処理についての説明を適宜省略する。
【０１６８】
図２０に示すフローチャートでは、第１の実施形態とは異なり、スイッチバック処理（Ｓ４）と箔転写処理（Ｓ５）の順序が逆になっている。つまり、本実施形態では、箔転写処理（Ｓ５）が、スイッチバック処理（Ｓ４）よりも先に実行されるようになっている。つまり、第１の実施形態とは異なり、ステップＳ３、ステップＳ５、ステップＳ４の順で処理が実行されるようになっている。
【０１６９】
この形態において、用紙Ｓのトナー像に金属色を施さない場合、つまり通常の印刷を行う場合には、用紙Ｓが第１搬送経路Ｆ１の上下方向に沿った部分を通過している間、用紙Ｓの第１面は前方を向いている。これにより、中間転写ベルト８７３上のトナー像が、前方を向いた用紙Ｓの第１面に転写される。その後、第１搬送経路Ｆ１の上部で用紙Ｓの向きが変更されると、第１面は下方を向くことになる。これにより、通常の印刷を行う場合には、トナー像が形成された第１面が下を向いた状態で、用紙Ｓが第１シート積載トレイ２２に排紙される。
【０１７０】
用紙Ｓのトナー像に金属色を施す場合には、第１搬送経路Ｆ１で搬送される用紙Ｓが転写ユニット８７０に到達すると、転写ユニット８７０によって、用紙Ｓの第１面にトナー像が形成される。その後、用紙Ｓがフィルム転写部１４０に到達すると、フィルム転写部１４０によって、第１面のトナー像に箔が転写される。
【０１７１】
その後、第１搬送経路Ｆ１の上部で用紙Ｓの向きが変更されると、箔転写された第１面が下向きとなった状態で、スイッチバックローラ２３によって、第１シート積載トレイ２２に向けて搬送される。用紙Ｓが第１シート積載トレイ２２に向けて搬送されている最中にスイッチバックローラ２３が逆回転すると、用紙Ｓが第２搬送経路Ｆ２に搬送される。
【０１７２】
用紙Ｓが第２搬送経路Ｆ２の上下方向に沿った部分を通過している間、箔転写された第１面は前方を向いている。その後、第２搬送経路Ｆ２の下部で用紙Ｓの向きが変更されると、箔転写された第１面が上方を向くことになる。そのため、箔転写された用紙Ｓが第２シート積載トレイ１６０に排紙される際には、第１面が上を向くので、第１の実施形態と同様の効果を得ることができる。
【０１７３】
以上、本発明の各実施形態について説明したが、本発明は前記各実施形態に限定されるものではない。具体的な構成については、本発明の趣旨を逸脱しない範囲で適宜変更が可能である。
【０１７４】
図７に示す第３の実施形態では、溝状のガイド部３２０に一体に形成されるロック部材３２１をロック部材として例示したが、本発明はこれに限定されず、ロック部材は、例えば、ガイド部が設けられる部材とは別部材であってもよい。また、ロック部材は、巻取軸に係合して、巻取軸の移動を規制するように構成することもできる。
【０１７５】
図１１に示す第６の実施形態では、支持フレーム１５０が引き出し方向に移動する動作に連動して、フィルム加熱ローラ１４１をフィルム加圧ローラ１４２から離間させる接離機構６００を例示したが、本発明はこれに限定されるものではない。接離機構は、例えば、支持フレーム１５０が引き出し方向に移動する動作に連動して、フィルム加圧ローラをフィルム加熱ローラから離間させるように構成されていてもよい。
【０１７６】
図１２に示す第７の実施形態などにおいては、回動フレーム７２０がフィルム加熱ローラ１４１を支持するように構成されているが、本発明はこれに限定されず、回動フレームは、例えば、フィルム加圧ローラを支持するように構成されていてもよい。
【０１７７】
前記実施形態では、画像形成装置として、複数のプロセスユニット６を備えるカラープリンタ１を例示したが、画像形成装置はこれに限定されるものではない。例えば、画像形成装置は、プロセスユニット６を１つだけ備えるモノクロのレーザプリンタであってもよい。
【０１７８】
前記実施形態では、シートの一例として普通紙や厚紙などの用紙Ｓを例示したが、本発明はこれに限定されず、シートは、例えば、ＯＨＰシートなどであってもよい。
【０１７９】
図８に示す第４の実施形態では、巻取軸１３０とフィルムカートリッジの上流端Ｅ１との間に位置する上流部分として、巻出軸１２０を例示したが、本発明はこれに限定されず、巻出軸以外の部分を上流部分としてもよい。
【０１８０】
多層フィルムは、箔の層を備えないフィルムであってもよい。たとえば、箔の層の代わりに木目調の色材の層を有するフィルムであってもよい。また、トナーと接着する接着層と、接着層と支持体との間にある剥離層とだけを有するフィルムであってもよい。
【０１８１】
また、前記した実施形態および変形例で説明した各要素を、任意に組み合わせて実施してもよい。
【符号の説明】
【０１８２】
１      カラープリンタ
３      給紙部
４      トナー像形成部
９Ａ    第１用紙搬送部
９Ｂ    第２用紙搬送部
２２    第１排紙トレイ
２３    スイッチバックローラ
１４０  フィルム転写部
１６０  第２シート積載トレイ
ＢＦ１  分岐部
Ｆ１    第１搬送経路
Ｆ２    第２搬送経路
Ｓ      用紙
【図１】
2019045653.tif 000003
【図２】
2019045653.tif 000004
【図３】
2019045653.tif 000005
【図４】
2019045653.tif 000006
【図５】
2019045653.tif 000007
【図６】
2019045653.tif 000008
【図７】
2019045653.tif 000009
【図８】
2019045653.tif 000010
【図９】
2019045653.tif 000011
【図１０】
2019045653.tif 000012
【図１１】
2019045653.tif 000013
【図１２】
2019045653.tif 000014
【図１３】
2019045653.tif 000015
【図１４】
2019045653.tif 000016
【図１５】
2019045653.tif 000017
【図１６】
2019045653.tif 000018
【図１７】
2019045653.tif 000019
【図１８】
2019045653.tif 000020
【図１９】
2019045653.tif 000021
【図２０】
2019045653.tif 000022